(57)【要約】【課題】回路基板の保護と信号ケーブルのクランプとを同時に行うことが可能となる電子楽器の回路基板保護構造を提供する。【解決手段】可撓性シート３ａには、３箇所に切り込み３ａ１１〜３ａ１３が入れられ、切り込み３ａ１１によって、短冊部３ａ２１が形成され、切り込み３ａ１２および３ａ１３によって、短冊部３ａ２２が形成されている。まず、ネジ３ａ５３〜３ａ５５によって、可撓性シート３ａと回路基板を上側筐体の内側に友締めし、次に、可撓性シート３ａの近くに位置する、複数本の信号ケーブル４を、短冊部３ａ２１を屈曲させることによって形成されるリング内に巻き込んだ後、ネジ３ａ５１により、短冊部３ａ２１の一端と回路基板を上側筐体の内側に友締めし、同様にして、信号ケーブル４を、短冊部３ａ２２を屈曲させることによって形成されるリング内に巻き込んだ後、ネジ３ａ５２により、短冊部３ａ２２の一端と回路基板を上側筐体の内側に友締めする。【選択図】図２
2007200999.tif 000002
【特許請求の範囲】
【請求項１】
電子楽器の筐体の内部に配置され、演奏者の演奏動作に応じて信号処理を行う電子回路が形成された回路基板と、該回路基板から出力された信号を含む各種信号を伝達する複数の信号ケーブルとを有する電子楽器の回路基板保護構造であって、
前記回路基板の表面の、少なくとも一部には、可撓性シート部材が覆われた状態で固定され、
前記可撓性シート部材の一部は、屈曲され、前記複数の信号ケーブルのうちの少なくとも一部を巻き込んだ状態で固定される
ことを特徴とする電子楽器の回路基板保護構造。
【発明の詳細な説明】
【技術分野】
【０００１】
本発明は、電子楽器の内部に設けられた電子回路基板を保護する回路基板保護構造に関する。
【背景技術】
【０００２】
回路基板を保護する保護構造として、回路基板の表面をフィルムで覆うようにしたものが知られている。
【０００３】
尚、適当な先行技術文献情報は見当たらない。
【発明の開示】
【発明が解決しようとする課題】
【０００４】
しかし、上記従来の回路基板保護構造では、確かに回路基板は保護されるものの、この回路基板の近くに位置する信号ケーブルをそのままにしておくと、演奏者の演奏動作などに起因する電子楽器の揺れや振動で、信号ケーブルがコネクタから外れたり、信号ケーブルがフィルムにぶつかって、フィルムを破損させたりするので、回路基板の保護とは別の何らかの手段により、信号ケーブルをクランプしておく必要があった。
【０００５】
本発明は、この点に着目してなされたものであり、回路基板の保護と信号ケーブルのクランプとを同時に行うことが可能となる電子楽器の回路基板保護構造を提供することを目的とする。
【課題を解決するための手段】
【０００６】
上記目的を達成するため、請求項１に記載の電子楽器の回路基板保護構造は、電子楽器の筐体の内部に配置され、演奏者の演奏動作に応じて信号処理を行う電子回路が形成された回路基板と、該回路基板から出力された信号を含む各種信号を伝達する複数の信号ケーブルとを有する電子楽器の回路基板保護構造であって、前記回路基板の表面の、少なくとも一部には、可撓性シート部材が覆われた状態で固定され、前記可撓性シート部材の一部は、屈曲され、前記複数の信号ケーブルのうちの少なくとも一部を巻き込んだ状態で固定されることを特徴とする。
【０００７】
好ましくは、前記可撓性シート部材は、絶縁性素材からなることを特徴とする。
【０００８】
さらに好ましくは、前記可撓性シート部材は、弾性を有する素材からなることを特徴とする。
【発明の効果】
【０００９】
請求項１に記載の発明によれば、回路基板の表面の、少なくとも一部には、可撓性シート部材が覆われた状態で固定され、前記可撓性シート部材の一部は、屈曲され、前記複数の信号ケーブルのうちの少なくとも一部を巻き込んだ状態で固定されるので、回路基板の保護と信号ケーブルのクランプとを同時に行うことが可能となる。
【発明を実施するための最良の形態】
【００１０】
以下、本発明の実施の形態を図面に基づいて詳細に説明する。
【００１１】
図１は、本発明の一実施の形態に係る回路基板保護構造を適用した電子鍵盤楽器１の内部構造を示す図である。
【００１２】
同図１に示すように、電子鍵盤楽器１の筐体は、上側筐体１ａおよび下側筐体１ｂからなり、上側筐体１ａを下側筐体１ｂから開くことができるように構成されている。
【００１３】
上側筐体１ａの内側には、２つの回路基板２ａおよび２ｂが取り付けられ、各回路基板２ａおよび２ｂの表面には、それぞれ可撓性シート３ａおよび３ｂがネジ止めされている。
【００１４】
本実施の形態では、可撓性シート３ａおよび３ｂとして、厚さ０.５ｍｍ程度の薄い塩化ビニル製シートを採用しているが、もちろんこれに限られる訳ではなく、１８０°折り曲げても、切れない程度に柔らかい材料であれば、どのようなものを用いてもよい。また、可撓性シート３ａおよび３ｂは、回路基板２ａおよび２ｂの表面に直接触れるため、回路がショートしないように、絶縁材料でできている必要がある。さらに、可撓性シート３ａおよび３ｂは、本実施の形態では、回路基板２ａおよび２ｂ全体を覆うようにしたが、これに限らず、回路基板２ａおよび２ｂ上、重要な部品が位置する一部分のみを覆うようにしてもよい。また、可撓性シート３ａおよび３ｂには、本実施の形態では、回路基板２ａおよび２ｂに対する、ノイズ等の電磁波対策は施されていないが、電磁波対策を施すようにしてもよい。電磁波対策の具体例としては、可撓性シートの表面をアルミや銅で、均一または細かいメッシュ状にコーティングする方法が考えられる。さらに、可撓性シート３ａおよび３ｂは、弾性を有する素材からなることが望ましい。これにより、たとえば信号ケーブルが回路基板２ａおよび２ｂ上の部品に与える衝撃を、可撓性シート３ａおよび３ｂの弾性で吸収できるからである。
【００１５】
図２は、一方の可撓性シート３ａを回路基板２ａに装着する前（（ａ））と後（（ｂ））の様子を示す図であり、図１中の円Ａ内を拡大し、時計の針が進む方向に１８０°回転させた状態を示している。
【００１６】
図２（ａ）に示すように、可撓性シート３ａには、３箇所に切り込み３ａ１１〜３ａ１３が入れられ、切り込み３ａ１１によって、短冊部３ａ２１が形成され、切り込み３ａ１２および３ａ１３によって、短冊部３ａ２２が形成されている。
【００１７】
短冊部３ａ２１および３ａ２２の各一端には、それぞれネジ穴３ａ３１および３ａ３２が開けられ、短冊部３ａ２１および３ａ２２の各他端は、折り曲げ位置（図２（ａ）中、波線で示される位置）になっている。
【００１８】
短冊部３ａ２１および３ａ２２を折り曲げ位置でそれぞれ折り曲げたときに、各ネジ穴３ａ３１および３ａ３２がそれぞれ位置する、可撓性シート３ａ上の位置には、ネジ穴３ａ４１および３ａ４２が開けられている。さらに、可撓性シート３ａには、他に３つのネジ穴３ａ４３〜３ａ４５が開けられている。
【００１９】
このように構成された可撓性シート３ａを回路基板２ａに装着する場合、図２（ｂ）に示すように、まず、ネジ穴３ａ４３〜３ａ４５にそれぞれネジ３ａ５３〜３ａ５５を通し、このネジ３ａ５３〜３ａ５５を、回路基板２ａおよび上側筐体１ａの、対応する位置に形成されたネジ穴（図示せず）に螺合させることで、可撓性シート３ａと回路基板２ａを上側筐体１ａの内側に友締めする。
【００２０】
次に、可撓性シート３ａの近くに位置する、複数本の信号ケーブル４を、短冊部３ａ２１を屈曲させることによって形成されるリング内に巻き込んだ後、ネジ穴３ａ３１および３ａ４１にネジ３ａ５１を通し、このネジ３ａ５１を、回路基板２ａおよび上側筐体１ａの、対応する位置に形成されたネジ穴（図示せず）に螺合させることで、短冊部３ａ２１の一端と回路基板２ａを上側筐体１ａの内側に友締めする。同様にして、信号ケーブル４を、短冊部３ａ２２を屈曲させることによって形成されるリング内に巻き込んだ後、短冊部３ａ２２の一端と回路基板２ａを上側筐体１ａの内側に友締めする。
【００２１】
このようにして、本実施の形態では、回路基板を保護する可撓性シートによって、その近くに位置する、複数本の信号ケーブルをクランプするようにしたので、クランプする手段を他に設ける必要がなくなり、これにより、電子楽器製造の手間やコストを削減することができる。
【００２２】
図３は、上記図２の可撓性シート３ａと、信号ケーブルをクランプする方法が異なる可撓性シート３ａ′を回路基板に装着する前（（ａ））と後（（ｂ））の様子を示す図である。図３中、図２と同様の構成要素には同一符号を付し、その説明は省略する。
【００２３】
図３（ａ）の可撓性シート３ａ′は、図２（ａ）の可撓性シート３ａに対して、３つのネジ穴３ａ３３，３ａ４６および３ａ４７を追加した点のみが異なっている。
【００２４】
ネジ穴３ａ３３とネジ穴３ａ４７は、このネジ穴３ａ３３および３ａ４７にネジ３ａ５７を通して、短冊部３ａ２２′の折り曲げ位置近傍と回路基板２ａを上側筐体１ａの内側に友締めすることで、クランプした信号ケーブルが、振動などによってずれないようにするために設けられている。また、ネジ穴３ａ４６は、このネジ穴３ａ４６を通ったネジ３ａ５６の頭を、信号ケーブルの止め部として機能させるために設けられている。
【００２５】
なお、本実施の形態では、短冊部３ａ２１および３ａ２２の先端は、ネジ３ａ５１および３ａ５２で固定するようにしたが、これに限らず、短冊部３ａ２１および３ａ２２の先端に、短手方向と平行に切り込みを入れ、この切り込みを、可撓性シート３ａの対応する固定部分に差し込むことで、信号ケーブルをクランプするようにしてもよいし、さらに、可撓性シート３ａの対応する固定部分にも切り込みを入れ、短冊部３ａ２１および３ａ２２の先端の切り込みを、固定部分の切り込みと噛み合わせることで、信号ケーブルをクランプするようにしてもよい。
【００２６】
また、本実施の形態では、電子楽器として、電子鍵盤楽器を例に挙げて説明したが、これに限らず、回路基板と複数本の信号ケーブルを備えた電子楽器であれば、どのようなものにも、本発明を適用することができる。
【図面の簡単な説明】
【００２７】
【図１】本発明の一実施の形態に係る回路基板保護構造を適用した電子鍵盤楽器の内部構造を示す図である。
【図２】図１中の一方の可撓性シートを回路基板に装着する前（（ａ））と後（（ｂ））の様子を示す図である。
【図３】図２の可撓性シートと、信号ケーブルをクランプする方法が異なる可撓性シートを回路基板に装着する前（（ａ））と後（（ｂ））の様子を示す図である。
【符号の説明】
【００２８】
１…電子鍵盤楽器（電子楽器），２ａ，２ｂ…回路基板，３ａ，３ｂ…可撓性シート（可撓性シート部材），４…信号ケーブル
【図１】
2007200999.tif 000003
【図２】
2007200999.tif 000004
【図３】
2007200999.tif 000005